Podtech/llm-jp-corpus-v4-ja_patent huggingface dataset:
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
発光部を有する発光管と、
前記発光部から射出された光を反射する楕円面リフレクタと、
前記発光部から被照明領域側に射出された光を前記発光部に反射する補助ミラーと、を備えた光源装置であって、
前記補助ミラーは、前記光源装置の光軸に垂直で互いに直交する２つの方向を第１及び第２の方向とした場合に、前記光源装置から射出される光束の断面形状が、前記第１の方向に比べて前記第２の方向が小さい形状となるように、前記第１の方向に沿った両側端部において反射凹面体の一部が削除された形状を有することを特徴とする光源装置。
【請求項２】
請求項１に記載の光源装置において、
前記楕円面リフレクタは、前記発光部からの射出光が前記補助ミラーで反射されずに通過すると仮定した場合に、前記通過する光を反射するために要する反射凹面の領域が削除された形状を有することを特徴とする光源装置。
【請求項３】
請求項１又は２のいずれかに記載の光源装置において、
前記補助ミラーは、前記発光管に空隙を介して配置されていることを特徴とする光源装置。
【請求項４】
請求項１〜３のいずれかに記載の光源装置と、この光源装置からの光を画像情報に応じて変調する電気光学変調装置と、この電気光学変調装置からの変調光を投写する投写レンズを備えたことを特徴とするプロジェクタ。
【請求項５】
請求項４に記載のプロジェクタにおいて、
前記第１の方向は前記プロジェクタの光学系を構成する平面と平行な関係にあり、前記第２の方向は前記プロジェクタの光学系を構成する平面と垂直な関係にあることを特徴とするプロジェクタ。
【請求項６】
請求項４に記載のプロジェクタにおいて、
前記第１の方向は前記プロジェクタの光学系を構成する平面と垂直な関係にあり、前記第２の方向は前記プロジェクタの光学系を構成する平面と平行な関係にあることを特徴とするプロジェクタ。
【手続補正２】
【補正対象書類名】明細書
【補正対象項目名】００１１
【補正方法】変更
【補正の内容】
【００１１】
本発明の光源装置は、発光部を有する発光管と、前記発光部から射出された光を反射する楕円面リフレクタと、前記発光部から被照明領域側に射出された光を前記発光部に反射する補助ミラーと、を備えた光源装置であって、前記補助ミラーは、前記光源装置の光軸に垂直で互いに直交する２つの方向を第１及び第２の方向とした場合に、前記光源装置から射出される光束の断面形状が、前記第１の方向に比べて前記第２の方向が小さい形状となるように、反射凹面体の一部が削除された形状を有することを特徴とする。
すなわち、本発明の光源装置においては、前記補助ミラーを、前記第１の方向に沿った両端部において前記反射凹面体の一部が削除された形状を有するものとすることを特徴とする。
【手続補正３】
【補正対象書類名】明細書
【補正対象項目名】００１３
【補正方法】変更
【補正の内容】
【００１３】
上記に記載の光源装置においては、前記楕円面リフレクタは、前記発光部からの射出光が前記補助ミラーで反射されずに通過すると仮定した場合に、前記通過する光を反射するために要する反射凹面の領域が削除された形状を有するものであることが好ましい。
すなわち、前記楕円面リフレクタを、前記第２の方向に沿った両端部において前記反射凹面の一部が削除された形状を有するものとすることが好ましい。
このように構成することにより、楕円面リフレクタの第２の方向に沿った寸法を短くすることができるので、装置全体のさらなる小型化を図ることができる。
【手続補正４】
【補正対象書類名】明細書
【補正対象項目名】００１４
【補正方法】変更
【補正の内容】
【００１４】
上記のいずれかに記載の光源装置において、前記補助ミラーは、前記発光管に空隙を介して配置されていることが好ましい。
このように構成することにより、補助ミラーの取り付け位置などを調整することにより、前記発光管と補助ミラーの位置関係を調整することができ、発光管及び補助ミラーの製造上の誤差を吸収することができる。
【手続補正５】
【補正対象書類名】明細書
【補正対象項目名】００１５
【補正方法】変更
【補正の内容】
【００１５】
本発明のプロジェクタは、上記のいずれかに記載の光源装置と、この光源装置からの光を画像情報に応じて変調する電気光学変調装置と、この電気光学変調装置からの変調光を投写する投写レンズを備えたことを特徴とする。
【手続補正６】
【補正対象書類名】明細書
【補正対象項目名】００１７
【補正方法】変更
【補正の内容】
【００１７】
上記に記載のプロジェクタにおいては、前記第１の方向は前記プロジェクタの光学系を構成する平面と平行な関係にあり、前記第２の方向は前記プロジェクタの光学系を構成する平面と垂直な関係にあることが好ましい。
このように構成することにより、楕円面リフレクタから射出される光束の断面形状を、プロジェクタの光学系を構成する平面と垂直な方向に沿って短いものとすることができる。このため、楕円面リフレクタ、平行化レンズをはじめ後段の各光学要素の、これらの方向に沿った寸法を短くすることができるので、装置全体の小型化（特に薄型化）を図ることができる。
【手続補正７】
【補正対象書類名】明細書
【補正対象項目名】００１８
【補正方法】変更
【補正の内容】
【００１８】
上記に記載のプロジェクタにおいては、前記第１の方向は前記プロジェクタの光学系を構成する平面と垂直な関係にあり、前記第２の方向は前記プロジェクタの光学系を構成する平面と平行な関係にあることも好ましい。
このように構成することにより、楕円面リフレクタから射出される光束の断面形状を、プロジェクタの光学系を構成する平面と平行な方向に沿って短いものとすることができる。このため、楕円面リフレクタ、平行化レンズをはじめ後段の各光学要素の、これらの方向に沿った寸法を短くすることができるので、装置全体の小型化（特に設置面積の縮小化）を図ることができる。
【手続補正書】
【提出日】平成17年11月1日(2005.11.1)
【手続補正１】
【補正対象書類名】明細書
【補正対象項目名】０００５
【補正方法】変更
【補正の内容】
【０００５】
一方、画像解析の際、白色光等の入射光によって照明された被検体からの反射光を、光学フィルタに透過させることによって多数のピーク帯域を有する分光組成に損失なく分解して被検体を分析することが行われている。
このような光学フィルタにも上述と同様のマイナスフィルタとしての性能が要求されるとともに、複数の波長における阻止帯域を有する必要がある。そこで、互いに異なる分光特性を有する多層膜干渉フィルタを複数組み合わせて、多数の透過帯域及び阻止帯域を備える光学系が提案されている（例えば、特許文献２参照。）。
【特許文献１】特許第３２９０６２９号公報  （第１図）
【特許文献２】特公昭６１−１９９６２号公報  （第１図）
【非特許文献１】W.H.Southwell, Using Apodization Function to Reduce Sidelobes in Rugate Filters, Appl. Opt., 1989, Vol.28
【非特許文献２】P.G.Very, J.A.Dobrowolski, W.J.Wild, and R.L.Burton, Synthesis of high rejection filters with the Fourier transform method, APPLIED OPTICS, 15 July(1989), Vol.28, No.14, p2867-2874
【非特許文献３】HAND BOOK OF OPTICS, Second Edition, Vol.1, Fundamentals, Techniques, and Design, OPTICAL SOCIETY OF AMERICA, McGRAW-Hill, 1995, p42.50
【手続補正２】
【補正対象書類名】図面
【補正対象項目名】図２
【補正方法】変更
【補正の内容】
【図２】
2005070355.tif 000001
【手続補正３】
【補正対象書類名】図面
【補正対象項目名】図３
【補正方法】変更
【補正の内容】
【図３】
2005070355.tif 000002
【手続補正４】
【補正対象書類名】図面
【補正対象項目名】図７
【補正方法】変更
【補正の内容】
【図７】
2005070355.tif 000003
【手続補正５】
【補正対象書類名】図面
【補正対象項目名】図８
【補正方法】変更
【補正の内容】
【図８】
2005070355.tif 000004
【手続補正６】
【補正対象書類名】図面
【補正対象項目名】図１１
【補正方法】変更
【補正の内容】
【図１１】
2005070355.tif 000005
【手続補正書】
【提出日】平成17年6月15日(2005.6.15)
【手続補正１】
【補正対象書類名】明細書
【補正対象項目名】００３６
【補正方法】変更
【補正の内容】
【００３６】
棒状部５ａ、円板部５ｂは、棒状部４ａ、円板部４ｂと同様な形状を有する。棒状部５ａは、梁３の長さの略中心を起点として、棒状部５ａの延在する方向とは逆向きに延在し、円板部５ｂは、棒状部５ａの先端に設けられている。
【手続補正２】
【補正対象書類名】明細書
【補正対象項目名】００６９
【補正方法】変更
【補正の内容】
【００６９】
具体的には、Ｘ方向について、音片２ａが”＞”の形状に変形するとき、音片２ｂは、音片２ａの形状と反対な”＜”の形状に変形する。このとき、音片２ｃは、音片２ａの形状と略同一な”＞”の形状に変形し、音片２ｄは、音片２ｃの形状と反対であって音片２ｂの形状と略同一な”＜”の形状に変形する。
また、上記とは反対に、Ｘ方向について、音片２ａが”＜”の形状に変形するとき、音片２ｂは、音片２ａの形状と反対な”＞”の形状に変形する。このとき、音片２ｃは、音片２ａの形状と略同一な”＜”の形状に変形し、音片２ｄは、音片２ｃの形状と反対であって音片２ｂの形状と略同一な”＞”の形状に変形する。
【手続補正３】
【補正対象書類名】明細書
【補正対象項目名】００７４
【補正方法】変更
【補正の内容】
【００７４】
駆動部６、７、９、１０の駆動素子はそれぞれの音片のＹＺ平面上に対向して設けられ、音片の長さの略中心からやや外れた位置に取り付けられている。
また、検出部９０、９１、９２、９３、９４、９５、９６、９７の検出素子はそれぞれの音片のＸＹ平面上に対向して設けられ、音片の長さの略中心からやや外れた位置に取り付けられている。
【手続補正４】
【補正対象書類名】明細書
【補正対象項目名】００８４
【補正方法】変更
【補正の内容】
【００８４】
支持部４は、棒状部４ａと、円板部４ｂとからなり、同様に、支持部５は、棒状部５ａと、円板部５ｂとからなる。棒状部４ａは、梁３の長さの略中心を起点として、Ｙ方向に延在し、断面が矩形であり、Ｚ方向の厚さが、音片２ａ、２ｂ、２ｃ、２ｄ及び梁３のＺ方向の厚さと略同一である。円板部４ｂは、棒状部４ａの先端に設けられる。円板部４ｂの直径は、棒状部４ａのＸ方向の幅より大きい。従って、接着剤により回路基板等に振動子５０を固定するために必要な面積を有する。また、円板部４ｂのＺ方向の厚さは、棒状部４ａのＺ方向の厚さと略同一である。
【手続補正５】
【補正対象書類名】明細書
【補正対象項目名】００８５
【補正方法】変更
【補正の内容】
【００８５】
棒状部５ａ、円板部５ｂは、棒状部４ａ、円板部４ｂと同様な形状を有する。棒状部５ａは、梁３の長さの略中心を起点として、Ｙ方向に沿いつつ棒状部４ａの延在とは逆向きに延在し、円板部５ｂは、棒状部５ａの先端に設けられている。
【手続補正６】
【補正対象書類名】明細書
【補正対象項目名】００９４
【補正方法】変更
【補正の内容】
【００９４】
図１４（Ａ）は、前述の振動子５０を振動子収容容器に実装した状態を示す正面図である。図１４（Ｂ）は同図（Ａ）のａ−ａ断面図である。
セラミックスなどで形成された収容容器２００は、一面が開放されて凹部が設けられている。また、凹部には載置台２０１が形成され、載置台２０１に振動子５０の支持部４、５の円板部４ｂ、５ｂ及びフレーム部２６を接着剤で接着することにより、振動子５０が収容容器２００に固定される。このとき、振動子５０の音片２ａ、２ｂ、２ｃ、２ｄは収容容器２００には接触せず、振動を阻害することはない。支持部に形成された配線と収容容器２００に形成された配線を接続するためにワイヤーボンディングが行われ、振動子５０と収容容器２００の電気的接続がなされている。そして、収容容器２００の上面には図示しない蓋体が内部を真空雰囲気あるいは不活性ガス雰囲気に保持して固着され、パッケージされた振動子となる。
このように、収容容器２００にフレーム部２６を接着保持すれば、接着面積を大きくすることができるため接着強度が上がり、耐衝撃性を向上させることができる。さらに、フレーム部２６の外周をガイドにして、収容容器２００内に載置すれば振動子５０の位置決めをする必要がなく、組み立て性を向上させることができる。
[支持部の配置における変形例]
【手続補正７】
【補正対象書類名】明細書
【補正対象項目名】００９５
【補正方法】変更
【補正の内容】
【００９５】
図１５（Ａ）、（Ｂ）は実施例３の支持部の配置における変形例を示す構成図である。
本変形例では、図１５（Ａ）に示すように、音片２ａ、２ｂ、２ｃ、２ｄと接続される梁３の長さの略中央の部分に支持部８７を設けた構成としてもよい。
このようにすれば、支持部８７およびフレーム部２６を接着保持することができることから、接着面積を大きくでき、耐衝撃性の向上した振動子を得ることができる。
また、図１５（Ｂ）に示すように、棒状部４ａ、５ａをＹ方向に延在させフレーム部２６と接続させた構成としてもよい。
このようにすれば、フレーム部２６を補強することができ、振動子の組み立てにおける振動子の破損を防止できる。
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
２枚の基板の間に液晶を狭持しかつ一方の前記基板の一方の辺に沿って所定ピッチで
配置された複数の入力端子を有する液晶セルと、
前記液晶を駆動する為の半導体チップ及び前記液晶の駆動回路を構成する第1の電子部品を搭載し，その長手方向の一方の辺に沿って所定ピッチで配置された複数の出力端子と，
その反対側の辺に沿って所定ピッチで配置された複数の入力端子とを有する回路基板とを備え，
前記回路基板が，前記液晶セルと同一平面内において，その前記出力端子を前記液晶セルの前記一方の基板の前記入力端子に直接接続することにより、
前記液晶セルと電気的に接続され、
前記回路基板上に前記半導体チップが前記長手方向に沿って中央に配置され，かつ前記第1の電子部品が前記長手方向に沿って前記半導体チップの両側に配置されていることを特徴とする液晶表示装置。
【請求項２】
前記回路基板に前記第1の電子部品に加えて、液晶表示を制御する制御回路を構成する第２の電子部品とを搭載し，
前記回路基板上に前記半導体チップが前記長手方向に沿って中央に配置され，かつ前記第1及び第２の電子部品が前記長手方向に沿って前記半導体チップの両側に配置されていることを特徴とする請求項１に記載の液晶表示装置。
【請求項３】
液晶セルと、液晶駆動用半導体チップ及び液晶の駆動・制御に必要な他の電子部品の全部又は一部分を搭載した回路基板とを備え、前記液晶セルの入力端子と前記回路基板の出力端子とが直接接続されている液晶表示装置であって、
前記回路基板は、前記液晶セルと反対側の一辺に沿ってエッジ部分に入力端子が形成されており、前記入力端子が、前記エッジ部分に半円形の切欠きを一定の間隔で複数形成してなることを特徴とする液晶表示装置。
【請求項４】
液晶セルと、液晶駆動用半導体チップ及び液晶の駆動・制御に必要な他の電子部品の全部又は一部分を搭載した回路基板とを備え、前記液晶セルの入力端子と前記回路基板の出力端子とが直接接続されている液晶表示装置であって、
前記回路基板は、前記液晶セルと反対側の中央部分を突出させて接続部が設けられていることを特徴とする液晶表示装置。
【請求項５】
請求項１又は２に記載の液晶表示装置と、前記液晶表示装置に電源及び入力信号を供給する本体基板とを備え、
前記回路基板の前記入力端子と前記本体基板とを電気的に接続する柔軟なケーブルを有することを特徴とする電子機器。
【請求項６】
請求項１又は２に記載の液晶表示装置と、前記液晶表示装置に電源及び入力信号を供給する本体基板とを備え、
前記回路基板の前記入力端子は、異方性導電膜を介して前記本体基板と直接接続されていることを特徴とする電子機器。
【請求項７】
請求項３に記載の液晶表示装置と、前記液晶表示装置に電源及び入力信号を供給する本体基板とを備え、
前記回路基板の前記入力端子と前記本体基板とをはんだ付けで接続したことを特徴とする電子機器。
【請求項８】
請求項４に記載の液晶表示装置と、前記液晶表示装置に電源及び入力信号を供給する本体基板とを備え、
前記本体基板には、前記回路基板の前記接続部を抜き差し可能に挿入できるコネクタが設けられていることを特徴とする電子機器。
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
一対の電極が内蔵されたバルブ部と、そのバルブ部の両側に該バルブ部と一体に配置され前記電極につながる導体が配設された封止部とを備える発光ランプであって、
前記バルブ部の内径、前記バルブ部の外径、前記封止部の径、及び前記封止部の長さの４つのサイズの値のうちの３つの値と、消費電力に依存する前記バルブ部の対流・伝導による熱損失量値とを予め決定され、それらの決定された値を基に、前記バルブ部の内面温度の平均値が予め定めた目標値となるように、前記バルブ部の各サイズのうちの残りの１つのサイズの値が決定されていることを特徴とする発光ランプ。
【請求項２】
前記バルブ部の対流・伝導による熱損失量、前記バルブ部の内径、前記封止部の径、及び前記封止部の長さを予め決定され、
前記熱損失量、前記バルブ部の内径、前記封止部の径、及び前記封止部の長さを基に、前記バルブ部の内面温度の平均値が目標範囲内に収まるように、前記バルブ部の外径を決定されていることを特徴とする請求項１記載の発光ランプ。
【請求項３】
前記内面温度の平均値をITTとしたとき、
ITT＝TT＋（H・TH）／（ρ・MS）
ここで、TTは前記バルブ部の表面温度、Hは前記バルブ部の対流・伝導による熱損失量、THは前記バルブ部の肉厚、ρは前記バルブ及び前記封止部を構成する材料の熱伝導率、MSは前記バルブ部の厚さ方向中央位置におけるバルブ面積である、ことを特徴とする請求項１又は２記載の発光ランプ。
【請求項４】
前記バルブ部の表面温度TTが、
TT=H・R3、
R3=(R1・R2)／(2R1+R2)、
R1＝T/H、
R2＝l/（ρ・π・(d/2)2）、
であって、Tは前記バルブ部の前記封止部からの放熱がないとした場合の前記バルブ部の表面温度、R3は前記バルブ部から自然対流への熱抵抗R1と前記バルブ部から前記封止部への伝導による熱抵抗R2との合成抵抗であり、ｌは前記封止部の長さ、ｄは前記封止部の直径である、ことを特徴とする請求項３記載の発光ランプ。
【請求項５】
前記内面温度の平均値を９００℃以上１０００℃以下とされていることを特徴とする前記請求項１乃至４の何れかに記載の発光ランプ。
【請求項６】
前記バルブ部の電極間中心から前記バルブ部と前記封止部との境界の一端までを結ぶ仮想線と、前記電極間を結ぶ基準線とのなす角度を４０度以内とされていることを特徴とする前記請求項１乃至５の何れかに記載の発光ランプ。
【請求項７】
前記バルブ部から射出された光を再度該バルブ部へ戻す反射手段を備えている、ことを特徴とする請求項１乃至６の何れかに記載の発光ランプ。
【請求項８】
凹面反射鏡の底部にランプが固定されてなる照明装置において、該ランプとして、請求項１乃至７の何れかに記載の発光ランプを備えた、ことを特徴とする照明装置。
【請求項９】
照明装置からの照明光を光変調装置に入射し画像を生成してその画像を投写するプロジェクタにおいて、該照明装置として、請求項８記載の照明装置を備えた、ことを特徴とするプロジェクタ。
【手続補正２】
【補正対象書類名】明細書
【補正対象項目名】００３２
【補正方法】変更
【補正の内容】
【００３２】
実施形態２
次に、上記の方法を用いてサイズが決定された発光ランプを備えた照明装置について説明する。図８は本発明の実施形態２の第１の照明装置１００に係る構成図である。照明装置１００は、発光ランプ１０と、発光ランプ１０のバルブ部２から後方に射出された光を前方に向けて反射する第一反射鏡２０とを備えてなる。第一反射鏡２０の形状は例えば楕円状とすることができる。発光ランプ１０は、第一反射鏡２０の底部の貫通穴２１にその封止部３ａの一端が挿入され、そこでセメントなどの無機系接着剤２２により第一反射鏡２０と一体に固定されている。なお、各封止部３ａ，３ｂには、電極１ａ，１ｂと接続されたモリブデンからなる金属箔１４ａ，１４ｂが密封され、その金属箔１４ａ，１４ｂには外部につなげられるリード線１５ａ，１５ｂがそれぞれ設けられている。
【手続補正書】
【提出日】平成17年5月13日(2005.5.13)
【手続補正１】
【補正対象書類名】明細書
【補正対象項目名】００２３
【補正方法】変更
【補正の内容】
【００２３】
上記調合タンクは、ペースト供給ユニット、塗料供給ユニット及びシンナー供給ユニットと、それぞれアクチューターバルブを通じて連結されている。各ユニットからのそれぞれの配合量は、コントロール槽によって自動的にコントロールされ、上記調合タンク中で、原色塗料として調合される。
上記スプレータンクは、上記調合タンク及び着色原色塗料供給ユニットと、スタティックミキサーを介して連結されている。上記調合タンクから供給される原色塗料、及び、着色原色塗料供給ユニットから供給される着色原色塗料の配合量は、コントロール槽によって自動的にコントロールされている。上記原色塗料と上記着色原色塗料は、スタティックミキサー又は混合タンクで前撹拌等によって混合され、混合塗料は、スプレータンクに供給される。
【手続補正書】
【提出日】平成17年5月13日(2005.5.13)
【手続補正１】
【補正対象書類名】明細書
【補正対象項目名】００２３
【補正方法】変更
【補正の内容】
【００２３】
すなわち、シート状繊維排水材は単糸径が０．１４mm〜０．７mmであるフィラメントを３０重量％以上含み、無載荷時の単位体積あたりの繊維充填量が５％〜４０％に設定されていることである。フィラメントの単糸径が０．１４mm未満の場合は、シート状繊維排水材の圧縮耐性、クッション性が不足したり、高載荷重時に必要な空隙が確保できにくく排水性能が不足することがある。また、単糸径が０．１４mm以上のフィラメントの割合が、シート状繊維排水材を構成する繊維材料の３０重量％未満になると、シート状繊維排水材の圧縮耐性が不足したり、高載荷重時に必要な空隙が確保できにくく排水性能が不足することがある。また、シート状繊維排水材は、無載荷時の単位体積当たりの繊維充填量が４０％を超えると、繊維密度が高くなりすぎてシート内の空隙が少なくなり、期待する排水・導水効果が得られにくくなる場合がある。なお、繊維充填量とは、繊維排水材Ａの単位体積当りの体積中に占める繊維体積の比率を示す値である。
【手続補正２】
【補正対象書類名】明細書
【補正対象項目名】００４６
【補正方法】変更
【補正の内容】
【００４６】
あるいは、一体的に気密の保たれた袋体の中を、法面および底面の勾配に平行させて、排水、真空引きに必要な開口を除き、自己修復層７および排水層８を内包するように、幅１０〜１００mm、厚み２〜１０mmの樹脂材あるいはゴム材からなる帯状隔壁を接着するなどにより設置するか、または、上部遮水層６と下部遮水層９の遮水シートを溶着するなどにより、適宜に選択された幅の複数に区割りされたレーンを設けて施工する。
【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】
１）  長い方の寸法部分と小さい方の寸法部分とを有する細長い工具の工具当接部(165、162)をシート(2)の一方の面上に押圧してシート(2)を圧縮し、シートの反対側の面は、上記工具当接部(165、162)と対向して配置され且つ上記工具当接部と少なくともほぼ同じ寸法の支持当接面(165、161)を有する部材によって支持され、上記工具当接部(165、162)の大きい方の寸法部分は加工すべきシート(2)の幅より大きく、上記工具当接部(165、162)と上記当接支持面(165、161)との間の間隙が所定間隙値に達したときに上記の圧縮を止め、
２）  上記工具当接部(165、162)をシート(2)の面から離反させ、
３）  上記工具当接部(165)の向きに対して横方向に、所定ステップ値だけ、シート(2)を移動する、
段階で構成される、シート(2)の互いに反対側にある２つの面の間の厚さを変形加工によって変える方法において、
前記の段階１）〜３）を、一つのステップから次のステップで各断面位置の関数で上記の所定間隙値を変えて、所定寸法の断面がシートに付与されるまで、繰り返すことを特徴とする方法。
【請求項２】
上記ステップ値を線形に変化させ且つ上記所定間隙値の変化を一定にする請求項１に記載の方法。
【請求項３】
上記ステップ値が工具の当接部の小さい方の寸法部分より小さい請求項１または２に記載の方法。
【請求項４】
複数回の一連のパスを行い、各パスで圧縮加工する請求項１〜３のいずれか一項に記載の方法。
【請求項５】
金型の軸線に直角な面から見た断面が台形である多数の要素を円周状に積層してタイヤトレッド用金型を製造する方法において、
請求項１〜４のいずれか一項に記載の方法を用いてブランク(3)を作り、各ブランク(3)から所望断面形状(32)を有する要素を切り出し、各要素の厚さの薄い方のエッジがトレッドの成形領域となり、この成形領域の外側で、エッジが金型の開閉運動を制御する装置と共働することを特徴とする方法。
【請求項６】
１）  大きい方の寸法部分と小さい方の寸法部分とを有する当接部（265）を備えた可動なほぼ縦方向に延びた可動プレート（162、261）から成るプレス（16、26）と、
２）  カウンタプレート（161、261）に対して上記可動プレートを相対移動させる手段と、
３）  シート(2)をカウンタプレート（161、261）上に固定する手段と、
４）  一連の各ステップ毎に上記プレートの大きい方の寸法に対して横方向にシート(2)を移動させる手段と、
５）  各ステップで所定間隙値が上記可動プレート（162、261）と上記カウンタプレート（161、261）との間に残るように、上記カウンタプレート（161、261）へ向かう上記可動プレート（162、261）の運動を制限する手段と、
を有するシート(2)の両面の間の厚さを制御してシートを加工する装置において、
ステップ毎のシート(2)の移動と上記カウンタプレート（161、261）に対する上記可動プレート（162、261）の相対移動とを交互に制御し、各回の制御で、一つのステップと次のステップで上記の所定間隙値を変える手段をさらに有することを特徴とする装置。
【請求項７】
大きい方の寸法部分に対して直角な断面において上記可動プレート（162、261）が対称形をしている請求項６に記載の装置。
【請求項８】
上記可動プレート（162、261）と上記カウンタプレート（161、261）とが同じ形状を有し、さらに、シート(2)を把持するクランプ（15）を含み、シート(2)のステップ毎の移動を制御する手段がプレートに対する上記クランプ（15）の移動手段を含む請求項６または７に記載の装置。
【請求項９】
カウンタプレートがアンビル（262）であり、シート(2)のステップ毎の移動を制御する手段がプレートの大きい方の寸法部分に対して横方向に上記アンビル（262）を移動させる手段を含む請求項６または７のいずれか一項に記載の装置。
【請求項10】
プレートの反対側に潤滑液を供給する手段(19)を含む請求項６〜９のいずれか一項に記載の装置。
【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】
１）  大きい方の寸法が加工すべきシート(2)の幅より大きく、小さい方の寸法は断面に沿ったシートの厚さを規定する較正済み開口部(1)を有する、上記シート(2)の断面を規定する２つの細長い工具当接部(165)の間で、シート(2)を締付け、
２）  上記較正済み開口部(1)の反対側で、シート(2)の端部の幅全体を把持し、
３）  上記のシートの厚さを制御するために、上記の２つの細長い工具当接部(165)をシート(2)と当接させた状態で上記端部の所からシート(2)を引張ることによって較正済み開口部(1)を含む面の初期断面から離し、従って、上記較正済み開口部(1)を通ってシート(2)を通過させる、
段階を含む材料を除去しないシートの加工方法において、
上記のシートの厚さが上記の初期断面から離れる離反距離を関数とする所定の関数で制御され、この所定の関数は較正済み開口部の開度すなわち厚さが上記の離反距離の関数で連続的に変化するような関数であり、従って、較正済み開口部を通過する際にシートの厚さが連続的に変化することを特徴とする方法。
【請求項２】
上記関数が上記の離反距離に応じて厚さが線形に増加する関数である請求項１に記載の方法。
【請求項３】
上記関数が上記離反距離が増加した時に厚さが減少する関数である請求項１または２に記載の方法。
【請求項４】
複数回通過させて所望の厚さを段階的に達成する請求項１〜３のいずれか一項に記載の方法。
【請求項５】
シート(2)が連続ストリップの形をしており、加工段階の終わりに上記の２つの当接部(165)が互いに接近してストリップに切断領域をマークし、次に、当接部の把持を緩めずに切断領域が破断するまでストリップを引張ることによって個々のブランクに別ける請求項１〜４のいずれか一項に記載の方法。
【請求項６】
金型の軸線に垂直な平面から見た時の断面が台形である要素(3)を多数円周方向に積層して形成されるタイヤトレッド用金型の製造方法において、
請求項５に記載の方法で各ブランク(3)を作り、各ブランクから所望断面形状(32)の要素(31)を切り出し、切り出した要素を円周方向に積層して金型を形成することを特徴とする方法。
【請求項７】
較正済み開口部(1)を規定する互いに対向して取付けられた２枚のプレート(161, 162)を備えたジョー(16)と、これら２枚のプレート(161, 162)の間の間隔を変える手段とを有するシート(2)の加工装置において、
下記１）〜３）をさらに含むことを特徴とする装置：
１）  シートを把持するクランプ(15)、
２）  上記の２枚のプレート(161, 162)に対して上記クランプ(15)を移動させる手段、
３）  ２枚のプレート(161, 162)の間の間隔がクランプの移動量に応じて連続的に変化し、シート(2)が較正済み開口部(1)を通過する際にシート(2)の厚さを連続的に変化させるように、２枚のプレート(161, 162)間の間隔を制御した状態で、上記プレート(161, 162)に対してシート(2)を滑動させ、クランプ(15)の移動量とプレート(161, 162)の相対位置とを関連付ける手段。
【請求項８】
上記の２枚のプレート(161, 162)がシート(2)の進行方向を規定する収束する当接部(165)を有する請求項７に記載の装置。
【請求項９】
較正済み開口部(1)の反対側に潤滑液を供給する手段(9)をさらに有する請求項７または８に記載の装置。
【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
外枠の前面に開閉自在に軸支され、ほぼ中央に遊技盤が臨む窓孔が形成された前面枠と、該前面枠の前面に開閉自在に軸支され、遊技盤の前方を覆うガラスが装着されたガラス板保持枠とを有する遊技機において、
前記ガラス板保持枠の前面は、遊技機を遊技機設置島に設置したとき互いに隣り合う遊技機と連続して一連的な立体感を呈する形状に形成されていることを特徴とする遊技機。
【請求項２】
外枠の前面に開閉自在に軸支され、ほぼ中央に遊技盤が臨む窓孔が形成された前面枠と、該前面枠の前面に開閉自在に軸支され、遊技盤の前方を覆うガラスが装着されたガラス板保持枠とを有する遊技機において、
前記ガラス板保持枠の前面には、遊技機を遊技機設置島に設置したとき互いに隣り合う遊技機と連続して一連的な立体感を呈する飾り部材が設けられていることを特徴とする遊技機。
【請求項３】
外枠の前面に開閉自在に軸支され、ほぼ中央に遊技盤が臨む窓孔が形成された前面枠と、該前面枠の前面に開閉自在に軸支され、遊技盤の前方を覆うガラスが装着されたガラス板保持枠とを有する遊技機において、
前記ガラス板保持枠の前面には、遊技機を遊技機設置島に設置したとき互いに隣り合う遊技機と連続する図柄模様が施こされていることを特徴とする遊技機。
【請求項４】
ガラス板保持枠は、前面枠のほぼ上半部分を全幅にわたって覆う大きさに形成されている請求項１，２又は３記載の遊技機。
【請求項５】
ガラス板保持枠は、遊技機を遊技機設置島に設置したとき、互いに隣り合う遊技機と連続性を有する形状に形成されていることを特徴とする請求項１，２又は３記載の遊技機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
【課題を解決するための手段】
本発明は上記目的を達成するために提案されたもので、請求項１に記載の遊技機は、外枠の前面に開閉自在に軸支され、ほぼ中央に遊技盤が臨む窓孔が形成された前面枠と、該前面枠の前面に開閉自在に軸支され、遊技盤の前方を覆うガラスが装着されたガラス板保持枠とを有する遊技機において、前記ガラス板保持枠の前面は、遊技機を遊技機設置島に設置したとき互いに隣り合う遊技機と連続して一連的な立体感を呈する形状に形成されていることを特徴としている。
【手続補正５】
【補正対象書類名】明細書
【補正対象項目名】０００９
【補正方法】変更
【補正の内容】
【０００９】
また、請求項２に記載の遊技機は、外枠の前面に開閉自在に軸支され、ほぼ中央に遊技盤が臨む窓孔が形成された前面枠と、該前面枠の前面に開閉自在に軸支され、遊技盤の前方を覆うガラスが装着されたガラス板保持枠とを有する遊技機において、前記ガラス板保持枠の前面には、遊技機を遊技機設置島に設置したとき互いに隣り合う遊技機と連続して一連的な立体感を呈する飾り部材が設けられていることを特徴としている。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、請求項３に記載の遊技機は、外枠の前面に開閉自在に軸支され、ほぼ中央に遊技盤が臨む窓孔が形成された前面枠と、該前面枠の前面に開閉自在に軸支され、遊技盤の前方を覆うガラスが装着されたガラス板保持枠とを有する遊技機において、前記ガラス板保持枠の前面には、遊技機を遊技機設置島に設置したとき互いに隣り合う遊技機と連続する図柄模様が施こされていることを特徴としている。
【手続補正８】
【補正対象書類名】明細書
【補正対象項目名】００１２
【補正方法】変更
【補正の内容】
【００１２】
さらに、請求項４に記載の遊技機は、ガラス板保持枠は、前面枠のほぼ上半部分を全幅にわたって覆う大きさに形成したことを特徴としている。
【手続補正９】
【補正対象書類名】明細書
【補正対象項目名】００１３
【補正方法】変更
【補正の内容】
【００１３】
また、請求項５に記載の遊技機は、ガラス板保持枠は、遊技機を遊技機設置島に設置したとき、互いに隣り合う遊技機と連続性を有する形状に形成されていることを特徴としている。
【手続補正書】
【提出日】平成17年5月19日(2005.5.19)
【手続補正１】
【補正対象書類名】明細書
【補正対象項目名】特許請求の範囲
【補正方法】変更
【補正の内容】
【特許請求の範囲】
【請求項１】
所定の契機を検出する検出手段と、
前記検出手段により検出された所定の契機が特定の条件を満たす場合に、遊技者にとって有利となる特別遊技状態を発生させる旨の信号を出力する制御手段を有してなる主基板と、
前記主基板の外部に設けられ、少なくとも前記信号に基づいて駆動制御される動作装置と、
前記検出手段及び前記主基板間、並びに、前記主基板及び前記動作装置間での信号の送信を許容するための複数の信号線とを備えた遊技機であって、
前記複数の信号線は、前記検出手段及び前記主基板間、並びに、前記主基板及び前記動作装置間の少なくとも一部において、１つに束ねられてなるケーブルによって構成されていることを特徴とする遊技機。
【請求項２】
請求項１に記載の遊技機において、
前記ケーブルは、多芯ケーブル及びフレキシブルプリントサーキットケーブルの少なくとも一方により構成されていることを特徴とする遊技機。
【請求項３】
請求項１又は２に記載の遊技機において、
前記複数の信号線のうち、少なくとも一部又は全部が、光信号を送信しうる光ファイバーケーブルによって構成されていることを特徴とする遊技機。
【請求項４】
所定の契機を検出する検出手段と、
前記検出手段により検出された所定の契機が特定の条件を満たす場合に、遊技者にとって有利となる特別遊技状態を発生させる旨の信号を出力する制御手段を有してなる主基板と、
前記主基板の外部に設けられ、少なくとも前記信号に基づいて駆動制御される動作装置と、
前記検出手段及び前記主基板間、並びに、前記主基板及び前記動作装置間での信号の送信を許容するための複数の信号線と
を備えた遊技機であって、
前記複数の信号線のうち、少なくとも一部又は全部は、前記検出手段及び前記主基板間、並びに、前記主基板及び前記動作装置間の少なくとも一部において、光信号を送信しうる光ファイバーケーブルによって構成されていることを特徴とする遊技機。
【請求項５】
請求項１乃至４のいずれかに記載の遊技機において、
前記主基板及び前記動作装置間には、中継基板が介設されており、
前記主基板及び前記中継基板間を接続する信号線の両端縁にはコネクタが取着され、前記中継基板側のコネクタは、中継基板に対し直接半田付けがなされていることを特徴とする遊技機。
【手続補正２】
【補正対象書類名】明細書
【補正対象項目名】００１３
【補正方法】変更
【補正の内容】
【００１３】
さらに、請求項３に記載の発明では、請求項１又は２に記載の遊技機において、  前記複数の信号線のうち、少なくとも一部又は全部が、光信号を送信しうる光ファイバーケーブルによって構成されていることをその要旨としている。
さらに、請求項４に記載の発明では、所定の契機を検出する検出手段と、前記検出手段により検出された所定の契機が特定の条件を満たす場合に、遊技者にとって有利となる特別遊技状態を発生させる旨の信号を出力する制御手段を有してなる主基板と、前記主基板の外部に設けられ、少なくとも前記信号に基づいて駆動制御される動作装置と、前記検出手段及び前記主基板間、並びに、前記主基板及び前記動作装置間での信号の送信を許容するための複数の信号線とを備えた遊技機であって、
前記複数の信号線のうち、少なくとも一部又は全部は、前記検出手段及び前記主基板間、並びに、前記主基板及び前記動作装置間の少なくとも一部において、光信号を送信しうる光ファイバーケーブルによって構成されていることをその要旨としている。
【手続補正３】
【補正対象書類名】明細書
【補正対象項目名】００１４
【補正方法】変更
【補正の内容】
【００１４】
併せて、請求項５に記載の発明では、請求項１乃至４のいずれかに記載の遊技機において、前記主基板及び前記動作装置間には、中継基板が介設されており、
前記主基板及び前記中継基板間を接続する信号線の両端縁にはコネクタが取着され、前記中継基板側のコネクタは、中継基板に対し直接半田付けがなされていることをその要旨としている。
【手続補正４】
【補正対象書類名】明細書
【補正対象項目名】００１８
【補正方法】変更
【補正の内容】
【００１８】
さらに、複数の信号線が、検出手段及び主基板間、並びに、主基板及び動作装置間の少なくとも一部において、電気信号以外の信号を送信しうるケーブルによって構成されていると、「ぶら下げ基板」を所定の信号線の途中等に不正に介設しようとしても、当該「ぶら下げ基板」が電気信号を送信するものである限り、信号の送信ができない。また、仮に、電気信号以外の信号を送信できたとしても特別遊技状態を発生させうる特定の条件を満たすことは非常に困難となる。
【手続補正５】
【補正対象書類名】明細書
【補正対象項目名】００１９
【補正方法】変更
【補正の内容】
【００１９】
併せて、前記ケーブルが、光ファイバーケーブルにより構成されていると、上記作用がより確実に、しかも比較的低コストで奏されることとなる。
【手続補正書】
【提出日】平成16年4月16日(2004.4.16)
【手続補正１】
【補正対象書類名】明細書
【補正対象項目名】００８８
【補正方法】変更
【補正の内容】
【００８８】
一つの例として、アンバランス位置推定器５０２よりアンバランスの原因の洗濯物が洗濯脱水槽１０４の上部１０４Ｂ、即ち図６において角度φが０度近傍に来たときに、回転角速度変動器５０４によって角速度補正値を出力し、洗濯脱水槽の角速度を減速する。減速の結果、洗濯物に加わる遠心力より重力の方が大きくなれば、洗濯物は洗濯脱水槽１０４の内面からはがれ、アンバランス状態を解消することができる。


【手続補正２】
【補正対象書類名】図面
【補正対象項目名】図１
【補正方法】変更
【補正の内容】
【図１】
1999319367.tif 000001
【手続補正３】
【補正対象書類名】図面
【補正対象項目名】図２
【補正方法】変更
【補正の内容】
【図２】
1999319367.tif 000002
【手続補正４】
【補正対象書類名】図面
【補正対象項目名】図４
【補正方法】変更
【補正の内容】
【図４】
1999319367.tif 000003
【手続補正５】
【補正対象書類名】図面
【補正対象項目名】図５
【補正方法】変更
【補正の内容】
【図５】
1999319367.tif 000004
【手続補正６】
【補正対象書類名】図面
【補正対象項目名】図９
【補正方法】変更
【補正の内容】
【図９】
1999319367.tif 000005
【手続補正７】
【補正対象書類名】図面
【補正対象項目名】図１２
【補正方法】変更
【補正の内容】
【図１２】
1999319367.tif 000006
【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】
時計機能を実現する時計機能手段と、
この時計機能手段によって期間を指定する期間指定手段と、
この指定期間内に実行されたゲーム成績を記憶するゲーム成績記憶手段と、
ゲーム実行者を特定する特定手段と、
特定されたゲーム実行者のゲーム成績を画面表示するための手段と、
を備える電子遊戯装置。
【請求項２】
前記ゲーム成績記憶手段は、前記指定期間内の上位のゲーム成績を記憶するメモリである、請求項１記載の電子遊戯装置。
【請求項３】
前記ゲーム成績記憶手段は、  前記指定期間内のゲーム成績を加算して記憶するメモリである、請求項１記載の電子遊戯装置。
【請求項４】
前記特定手段は、ゲーム実行者が選択した識別記号を入力するための手段を備えてなる、請求項１記載の電子遊戯装置。
【請求項５】
前記識別記号を記憶する手段と、入力された識別記号の一致を判断する手段と、この判断が肯定された際に前記ゲーム成績記憶手段にゲーム成績を加算して記憶させる手段と、を備える請求項４記載の電子遊戯装置。
【請求項６】
ゲームを実行するゲーム実行手段と、
時計機能を実現する時計機能手段と、
この時計機能に基づいて期間を指定する期間指定手段と、  遊戯者によって選択された識別記号毎に遊戯者のゲーム成績を記憶するゲーム成績記憶手段と、
遊戯者によって入力された識別記号に対して、この記憶手段に記憶されたゲーム成績を読み出し、このゲーム成績に前記ゲーム実行手段によって獲得されたゲーム成績を加えると共にその加算値を前記ゲーム成績記憶手段に更新記憶する演算手段と、
更新記憶されたゲーム成績を表示するための手段と、
を備え、
前記期間指定手段によって指定された指定期間内において前記演算手段がゲーム成績を更新記憶するように構成されている電子遊戯装置。
【請求項７】
複数の識別記号毎のゲーム成績を、成績上位順にランキング表示するように構成されてなる、請求項６記載の電子遊戯装置。
【請求項８】
前記識別情記号毎に出力装置の特性値を記憶する特性値記憶手段と、
遊戯者によって入力された識別記号に応じた特性値を前記特性値記憶手段から読み出し、読み出した特性値に基づいて前記出力装置の特性を設定する設定手段と、
を含む請求項６記載の電子遊戯装置。
【請求項９】
遊戯者によって入力されたネームとパスワードが一致した際に、以前に記憶されていたゲーム成績に今回得られたゲーム成績を加算し、この結果を記憶するとともに、これをランキング表示するようにしたゲーム処理手段を備える請求項６乃至８の何れか１項記載の電子遊戯装置。
【請求項１０】
遊戯者によって入力されたネームとパスワードが一致した際に、以前に記憶されていたゲーム用筐体の動作特性のうち該当するデータを読み出し、これをゲーム筐体に設定してゲームを実行するゲーム処理手段を備える請求項６記載の電子遊戯装置。
【請求項１１】
ゲームの実行時期、ゲームの実行回数などのゲームの実行環境に応じて、所定値以上の実行環境の場合に前記ゲーム成績を記憶するように構成された請求項１乃至１０のいずれか１項記載の電子遊戯装置。
【請求項１２】
複数のゲーム筐体間が通信回線を介してデータの交換がされ、複数のゲーム筐体の全記録が表示されるようにした請求項１乃至１１の何れか１項記載の電子遊戯装置。
【請求項１３】
時計機能を実現する時計機能手段を備えた電子遊戯装置のデータ処理方法において、前記時計機能手段によって期間を指定する期間指定ステップと、この指定期間内に実行されたゲーム成績を記憶するゲーム成績記憶ステップと、ゲーム実行者を特定する特定ステップと、特定されたゲーム実行者のゲーム成績を画面表示するためのステップとを備えるデータ処理方法。
【請求項１４】
電子遊戯装置おけるデータ処理方法において、
ゲームを実行するゲーム実行ステップと、
前記電子遊戯装置が備える、時計機能を実現する時計機能手段に基づいて期間を指定する期間指定ステップと、
遊戯者によって選択された識別記号毎に遊戯者のゲーム成績を記憶するゲーム成績記憶ステップと、
遊戯者によって入力された識別記号に対して、記憶されたゲーム成績を読み出し、このゲーム成績にゲーム成績を加えると共にその加算値を更新記憶する演算ステップと、
更新記憶されたゲーム成績を表示するためのステップと、
を備え、
前記指定期間内においてゲーム成績が更新記憶されるように構成されたデータ処理方法するように構成されているデータ処理方法。
【請求項１５】
請求項１３記載の各ステップをコンピュータに実行させるためのプログラムが記憶された記憶媒体。
【請求項１６】
請求項１４記載の各ステップをコンピュータに実行させるためのプログラムが記憶された記憶媒体。
【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
モニタ画面に画像を表示する表示手段により、前記モニタ画面における所定の領域を、前記モニタ画面に表示されるゲーム画像より高輝度又は低輝度である枠により特定するように表示し、
前記モニタ画面に表示される画像を撮像する撮像手段により、前記モニタ画面に対して位置が指示された際に、前記モニタ画面を撮像し、
検出手段により、前記撮像された画像から前記枠に基づいて前記所定の領域を検出し、
位置決定手段により、前記撮像された画像内における前記所定の領域の位置に基づいて、前記指示された位置を決定する
ことを特徴とする指示位置検出方法。
【請求項２】
請求項１記載の指示位置検出方法において、
前記枠により、前記所定の領域を囲むことを特徴とする指示位置検出方法。
【請求項３】
モニタ画面に画像を表示する表示手段により、前記モニタ画面に、ゲーム画像と、該ゲーム画像より高輝度又は低輝度の枠とを表示し、
前記モニタ画面に表示される画像を撮像する撮像手段により、前記モニタ画面に対して位置が指示された際に、前記モニタ画面を撮像し、
検出手段により、前記撮像された画像から前記枠を検出し、
位置決定手段により、前記撮像された画像内における前記枠の位置に基づいて、前記指示された位置を決定する
ことを特徴とする指示位置検出方法。
【請求項４】
請求項３記載の指示位置検出方法において、
前記枠により、前記ゲーム画像を囲むことを特徴とする指示位置検出方法。
【請求項５】
請求項１乃至４のいずれか１項に記載の指示位置検出方法において、
前記撮像された画像には、前記枠の一部分のみが含まれていることを特徴とする指示位置検出方法。
【請求項６】
請求項１乃至５のいずれか１項に記載の指示位置検出方法において、
前記枠は、前記モニタ画面に表示されるゲーム画像を仮想的に囲む仮想枠の隅であることを特徴とする指示位置検出方法。
【請求項７】
モニタ画面に対して位置を指示する位置指示手段と、
前記位置指示手段に設けられ、前記モニタ画面に表示される画像を撮像する撮像手段と、
前記撮像手段により撮像された撮像画像から、前記モニタ画面において撮像可能に特定された所定の領域を検出する検出手段と、
前記撮像画像内の前記所定の領域の位置に基づいて、前記位置指示手段が指示する位置を決定する位置決定手段と
を有することを特徴とする指示位置検出装置。
【請求項８】
請求項７記載の指示位置検出装置において、
前記検出手段は、前記撮像手段により撮像された撮像画像から枠の位置を検出し、
前記位置決定手段は、前記撮像画像内の前記枠の位置に基づいて、前記位置指示手段が指示する位置を決定する
ことを特徴とする指示位置検出装置。
【請求項９】
請求項７又は８記載の指示位置検出装置において、
前記位置決定手段は、前記撮像画像の予め定められた特定の位置が占める前記所定の領域内の相対位置を指示位置として決定することを特徴とする指示位置検出装置。
【請求項１０】
請求項７乃至９のいずれか１項に記載の指示位置検出装置において、
前記検出手段は、予めモニタ画面を撮像して前記撮像画像内の前記所定の領域の大きさを検出し、
前記位置決定手段は、前記検出手段により検出された前記所定の領域の大きさに基づいて前記指示位置を決定する
ことを特徴とする指示位置検出装置。
【請求項１１】
請求項１０記載の指示位置検出装置において、
前記検出手段により前記所定の領域の少なくとも２隅の位置が検出された場合には、前記位置決定手段は、予め検出された前記所定領域の大きさと前記２隅の位置に基づいて前記指示位置を決定する
ことを特徴とする指示位置検出装置。
【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
複数の端末がサーバに接続されたネットワーク上で、該複数の端末間でコンピュータゲームの対戦が行われるネットワークゲームシステムにおいて、
該複数の各端末は、それぞれで実行されているコンピュータゲームの状況データを該サーバに供給し、
該サーバは、該状況データに基づいて、該複数の端末全体に関する統合データを生成し、コンピュータゲームが実行されている該複数の各端末にそれぞれ供給することを特徴とするネットワークゲームシステム。
【請求項２】
複数の端末がサーバに接続されたネットワーク上で、該複数の端末間でコンピュータゲームの対戦が行われるネットワークゲームシステムにおいて、
該複数の各端末は、それぞれで実行されているコンピュータゲームの状況データを該サーバに供給し、
該サーバは、該複数の端末それぞれに、該各端末以外の他の端末の状況データを供給し、
該複数の各端末は、該各端末の状況データ及び該他の端末の状況データに基づいて、前記複数の端末全体に関する統合データ生成することを特徴とするネットワークゲームシステム。
【請求項３】
請求項１又は２において、
前記統合データは、前記複数の端末で文字表示又は音声として出力されることを特徴とするネットワークゲームシステム。
【請求項４】
請求項１又は２において、
前記状況データは、コンピュータゲームの進行度合い、得点又は成績であることを特徴とするネットワークゲームシステム。
【請求項５】
請求項１又は２において、
前記統合データは、コンピュータゲームを実行している前記複数の端末の順位であることを特徴とするネットワークゲームシステム。
【請求項６】
複数の端末及びサーバが互いに接続されるネットワーク上で、該複数の端末のうちの一の端末と対戦相手の端末とが直接接続されてコンピュータゲームの対戦が行われるネットワークゲームシステムにおいて、
該サーバは、対戦可能の端末のエリア情報を含む対戦相手情報を該一の端末に供給することを特徴とするネットワークゲームシステム。
【請求項７】
請求項６において、
前記エリア情報は、端末の市外局番であることを特徴とするネットワークゲームシステム。
【請求項８】
請求項６又は７において、
前記一の端末は表示手段を有し、前記対戦相手情報を該表示手段の画面に表示することを特徴とするネットワークゲームシステム。
【請求項９】
請求項６乃至８において、
前記対戦相手情報に基づいて対戦相手が選択されると、
前記一の端末は、前記サーバとの接続を自動的に切断し、さらに、対戦相手の端末と自動的に接続することを特徴とするネットワークゲームシステム。